(57)【要約】【課題】従来の工具では、四角穴ビスを打込むのに時間がかかっていた  大きな騒音、振動も発生した。作業者は力を込めて押し込まなければならなかった。ロールネジ打機は専用のビスしか打込む事が出来なかった。ロールネジ打機に直接四角ビットを装着しても高速回転でビットが出てくるので、四角穴ビスの穴に命中させる事が難しい【解決の手段】一端の端部をプラスネジと同形の穴、もう一端が四角ビットと同形の棒状の物をロールネジ打機に装着する事により、打込み時に高速回転で出てくるプラスビットを容易に受け止められるようにしたものである。これにより、高速、低騒音、低振動、本体の先を押当てトリガを引くというロールネジ打機の特長を利用して、四角穴ビスを打込む事が出来る【選択図】図１
2009136965.tif 000002
【特許請求の範囲】
【請求項１】
ロールネジ打機に装置し、ロールネジ打機を利用して、四角頭ビスを打込めるようにするため、一方の端部が、ロールネジ打機で打込み時に回転しながら出てくるプラスビットの先端が穴に入るよう、プラスビスの皿の部分と同じ十字の凹状の形とし、もう一方の端部が、四角穴ビスの穴に入るよう、四角穴ビットと同じ四角形とした棒状の変換ビット
【発明の詳細な説明】
【技術分野】
【０００１】
本発明は四角穴ビスを打込む工具に関する
【背景技術】
【０００２】
従来の四角穴ビスを打込むためには、四角穴ビス用のビットを、打込み用の工具に装着していた        
【０００３】
上記の打込み工具とは、主にエアーインパクトドライバー、充電インパクトドライバー、電気インパクトドライバーなどである。
【発明の開示】
【発明が解決しようとする課題】
【０００４】
以上述べた従来の打込み工具の方法では、四角穴ビスを打込むのに時間がかかるものであった。
【０００５】
打込み時に発生する従来の打込み工具の音が、作業者や周辺の人達の耳に入りやすく、大変騒がしいものであった
【０００６】
また、打込み時に発生する打込み工具の振動が、作業者に伝わり大変負担になるものであった
【０００７】
従来の工具は、四角穴ビスを打込むのに、大変力を込めて押し込んでいかなければならないものであった
【０００８】
そのため足元の不安定な所や、高所での作業は困難なものであった
【０００９】
ロールネジ打機は、ロール状に連結されたプラスビスしか打込むことができなかった
【００１０】
ロールネジ打機は、ビスを打込む時ビットが回転しながら出てくる構造であるので、四角穴ネジ用の四角ビットを装着しても、四角ビットは先端がとがっていないため、四角穴ビスの穴にうまく命中させて  打込む事が出来ないものであった
【００１１】
本発明は前記の問題点を解決しようとするものであり、ロールネジ打機の打込み時に回転しながら出てくるプラスビットを受け止め、ロールネジ打機の低騒音、低振動、低反発高速でビスを打込む事ができ、また押し当てるだけでビスが打込めるという特長を利用して四角穴ビスを打込めるようにすることを目的とするものである
【００１２】
上記の目的を達成するため本発明をロールネジ打機に装着し、ロールネジ打機を利用して、四角穴ビスを打込めるようにするため、一方の端部が、ロールネジ打機で打込時に回転しながら出てくるプラスビットの先端が穴に入るよう、プラスビスの皿の部分と同じ凹状の形とし、もう一方の端部が、四角穴ビスの穴に入るよう四角穴ビットと同じ四角形とした棒状のものである
【００１３】
本発明を利用してロールネジ打機から回転して出てくるプラスビットをうまく受け止め四角穴ビスを打込めるようにしたものである
【００１４】
ロールネジ打機で、四角穴ビスが打込める様出来るためロールネジ打機の低騒音、低振動、低反発、高速で打込めるため作業時間の短縮、打込み時に押し当てるだけでよいという特長を利用して打込めるようにするためのものである
【００１５】
そのため従来四角穴ビスを打込むために使用していた工具より低騒音で打込む事が出来るため、作業者や現場の人達  及び近隣住民への耳ざわりな音が軽減できる
【００１６】
ロールネジ打機は  打込み時に従来の工具のような振動が無いため  作業者への負担が軽減できる
【００１７】
ロールネジ打機は従来の工具のように  力を込めて押し込まなくても  先端を押し当てるだけで  ビスを打込む事が出来る
【００１８】
そのため足場の不安定な所や  高所での作業も容易に出来る
【００１９】
また  四角穴ビスを材料に力を込めて押し込まなくて済む為  四角穴ビスが四角ビットから倒れにくくなる
【００２０】
ロールネジ打機は、従来の工具より高速でビスを打込む事が出来る為、作業時間が大幅に短縮する事が出来る
【００２１】
本来ロールネジ打機は、ロール状に連結されたプラスビスしか打込めなかったが、本発明を使用することにより四角穴ビスも  打込むことが出来る
【００２２】
四角穴ビスが打込めるということで、建築用の接合金物のビス打ちにも、利用できる
【００２３】
上記したように本発明をロールネジ打機に装着して  四角穴ビスが打込めるようにすれば、ロールネジ打機の特長を最大にいかして打込めるという効果を発揮するものである
【発明を実施するための最良の形態】
【００２４】
以下本発明の実施形態を図１〜図２に基づいて説明する
【００２５】
図において１は変換ビット本体である
【００２６】
図において２は変換ビットをロールネジ打機に装着した図である
【００２７】
上記の変換ビットを、ロールネジ打機に装着して、四角穴ビスを打込むまでを説明する
【００２８】
まずはロールネジ打機のネジガイド１０を左に開く
【００２９】
次にバーチカルガイド４を開いたままにしておくために、つまみを固定しておく
【００３０】
これは、四角穴ビスを射出口６から、変換ビット１に装着しやすくするものである
【００３１】
ネジガイド１０と、バーチカルガイド４が開いたならば、四角ビット２をプッシュレバー５側に、プラスビット受皿部３をロールネジ打機のプラスビット側に装着する
【００３２】
次に、プラスビット受皿部３と  ロールネジ打機のプラスビットが出てくる間に、スプリング１１を装着する
【００３３】
これは、変換ビット１の四角ビット２が、常にプッシュレバー５の先端の穴から出て、四角穴ビスを装着しやすくするものである
【００３４】
以上の作業が終われば、ネジガイド１０を右に戻して、変換ビット１の装着が完了した
【００３５】
次にロールネジ打機の、単発打ち連続打ち切り替えレバー９を、単発打ちにセットする
【００３６】
単発打ちになっている事を確認したらロールネジ打機のエアーカプラ７にエアーホースを取り付ける
【００３７】
エアーホースを取り付けたなら、四角穴ビスの穴をプッシュレバー５の穴から出ている変換ビット１の四角ビット部２に、セットする
【００３８】
セットしたなら四角穴ビスの先端を、打ち込みたいところに押しあてプッシュレバー５が作動するところまで、押し込む
【００３９】
この事により射出口６の出口にあった変換ビット１も  ロールネジ打機プラスビットの出口の方に押し込まれる
【００４０】
次にトリガ８を引けば、ロールネジ打機のプラスビットが、回転しながら出てきて変換ビット１のプラスビット受皿３に命中する
【００４１】
この事により変換ビット１も回転しながらプッシュレバー９の方に押し出される為に、もう一方の端部四角ビット部２の先端にセットされている四角穴ビスも、打込まれる
【００４２】
四角穴ビスの打込みが完了すれば、ロールネジ打機のプラスビットは、自動的に元の位置に戻るが、変換ビット１はスプリング１１により、射出口６側に残り四角ビット２の先端が常にプッシュレバー５の穴から出ている
【００４３】
この為、次の四角穴ビスを装置するのが容易に出来る
【００４４】
以上の作業を繰り返して四角穴ビス打込む
【００４５】
本実施形態によれば、四角穴ビスの打込み本数が多いほど、従来の工具に比べ、作業時間の短縮が出来、騒音の軽減、作業者への振動負担の軽減、及び四角穴ビスを狙ったところに打込め  又  四角穴ビスが脱落や倒れにくく打込めるという効果を得られるものである
【図面の簡単な説明】
【００４６】
【図１】本発明の変換ビット外観図
【図２】本発明の変換ビットをロールネジ打機に取り付けた図
【符号の説明】
【００４７】
１変換ビット本体
２変換ビット先端四角ビット部
３変換ビット先端プラスビット受皿部
４バーチカルガイド
５プッシュレバー
６射出口
７エアーカプラ
８トリガ
９単発連発切り替えレバー
１０ネジガイド
１１スプリング
【図１】
2009136965.tif 000003
【図２】
2009136965.tif 000004